(57)【要約】      （修正有）【課題】容器本体と蓋体の内嵌合を強くすることによって容易に蓋体が外れることを防止し、かつ、汁漏れが生じにくい包装用内嵌合容器を提供する。【解決手段】容器本体と蓋体からなるシート成形の包装用内嵌合容器であって、前記容器本体は、底面と、この底面の周囲から立ち上がる壁面１ｂと、この壁面に対して外側に向けた蓋体嵌合用フランジ部と、前記蓋体嵌合用フランジ部から上向きに延長して設けられる容器側逆テーパ面１ｆとを有し、前記蓋体は、天板と、この天板の周縁から下向きに連続する第１の蓋体壁２ｂと、この蓋体壁の下縁部から外側に向けて拡開する蓋体フランジ部２ｃと、この蓋体フランジ部から下向きに連続する第２の蓋体壁２ｄと、この第２の蓋体壁から延長部を介して上向きに設けられる蓋体側逆テーパ面２ｈとを有し、この蓋体側逆テーパ面１ｆの深さを前記容器本体側逆テーパ面の深さに対応させた。【選択図】図３
2019127301.tif 000002
【特許請求の範囲】
【請求項１】
容器本体と蓋体からなるシート成形の包装用内嵌合容器であって、
前記容器本体は、
底面と、
この底面の周囲から立ち上がる壁面と、
この壁面に対して外側に向けた蓋体嵌合用フランジ部と、
前記蓋体嵌合用フランジ部から上向きに延長して設けられる容器側逆テーパ面とを有し、
前記蓋体は、
天板と、
この天板の周縁から下向きに連続する第１の蓋体壁と、
この蓋体壁の下縁部から外側に向けて拡開する蓋体フランジ部と、
この蓋体フランジ部から下向きに連続する第２の蓋体壁と、
この第２の蓋体壁から延長部を介して上向きに設けられる蓋体側逆テーパ面とを有し、
この蓋体側逆テーパ面の深さを前記容器本体側逆テーパ面の深さに対応させた、
ことを特徴とする包装用内嵌合容器。
【請求項２】
蓋体における第２の蓋体壁は、
蓋体側逆テーパ面との間に位置する延長部から天板に向けて立ち上がるように形成されている、
請求項１記載の包装用内嵌合容器。
【請求項３】
容器側逆テーパ面は、
垂直に対して３０〜９０度の範囲内の傾きである、
請求項１または２記載の包装用内嵌合容器。
【請求項４】
蓋体における延長部は、
容器本体の蓋体嵌合用フランジと少なくとも一部が重なり合う、
請求項１、２または３記載の包装用内嵌合容器。
【請求項５】
蓋体は、
第２の蓋体壁と延長部とが接続する下面側に角部（Ｘ１）を有し、
容器本体は、
蓋体嵌合用フランジ部と壁面とが接続する上面側に角部（Ｘ２）を有し、
両角部（Ｘ１）・（Ｘ２）は、
何れか一方が他方よりも出幅（Ｌ１）を有して容器内方に迫り出しており、
前記出幅（Ｌ１）は、
前記蓋体の蓋体フランジ部の上面幅（Ｌ２）と下面幅（Ｌ３）の何れよりも小さい、
請求項１から４のうち何れか一項記載の包装用内嵌合容器。
【請求項６】
蓋体における下面側角部（Ｘ１）は、
容器本体における上面側角部（Ｘ２）よりも内方に迫り出している、
請求項５記載の包装用内嵌合容器。
【請求項７】
蓋体の延長部の幅（Ｌ４）は、
前記蓋体の蓋体フランジ部の上面幅（Ｌ２）と下面幅（Ｌ３）の何れよりも大きい、
請求項１から６のうち何れか一項記載の包装用内嵌合容器。
【請求項８】
蓋体の延長部は、
蓋体側逆テーパ面から第２の蓋体壁に向かって下り勾配である、
請求項１から７のうち何れか一項記載 の包装用内嵌合容器。
【発明の詳細な説明】
【技術分野】
【０００１】
この発明は、樹脂シート成形品である包装用容器の蓋体と容器本体とを内嵌合によって閉蓋する構造に係り、容器本体と蓋体が容易に外れることなく密に係合することができるように改良した技術に関するものである。
【背景技術】
【０００２】
樹脂シート成形品である包装用容器の閉蓋構造としては、蓋体と容器本体の嵌合部を容器本体の外縁に設けた外嵌合タイプ以外に、前記嵌合部を容器本体の外縁よりも内側に設けた内嵌合タイプがある（特許文献１）。
【０００３】
そして、一般的には、内嵌合タイプの包装用容器は外嵌合タイプよりも密封性に優れるとされ、汁気が多い食品の包装用容器として採用される傾向にある。
【先行技術文献】
【特許文献】
【０００４】
【特許文献１】特開２００３−６３５７３号公報
【発明の概要】
【発明が解決しようとする課題】
【０００５】
特許文献１の包装用容器では、容器本体の嵌合部が凹部の外側縁部から内方に傾斜させつつ適宜高さに立ち上げた逆テーパ状の壁面を有し、蓋体の外側縁部に形成した逆テーパ状の折り返し部を容器本体の前記嵌合部に内嵌合させて閉蓋するものであるが、蓋体の折り返し部は容器本体の凹部の深さに満たないため、十分な嵌合強度が得られず 、少しの衝撃で蓋体が外れてしまうおそれがあった。
【０００６】
また、特許文献１の包装用容器では、容器本体の凹部の内側縁部が蓋体と空隙を形成して収納部と連通するように開放されているため、閉蓋後であっても容器を傾けると収納部内の汁が空隙を通じて凹部に入り込み、嵌合部から汁漏れを起こすおそれがあった。
【０００７】
本発明は上述した課題を解決するためになされたもので、その目的とするところは、容器本体と蓋体の内嵌合を強くすることによって容易に蓋体が外れることを防止し、かつ、汁漏れが生じにくい包装用内嵌合容器を提供することである。
【課題を解決するための手段】
【０００８】
上述した目的を達成するために本発明では、容器本体と蓋体からなるシート成形の包装用内嵌合容器であって、前記容器本体は、底面と、この底面の周囲から立ち上がる壁面と、この壁面に対して外側に向けた蓋体嵌合用フランジ部と、前記蓋体嵌合用フランジ部から上向きに延長して設けられる容器側逆テーパ面とを有し、前記蓋体は、天板と、この天板の周縁から下向きに連続する第１の蓋体壁と、この蓋体壁の下縁部から外側に向けて拡開する蓋体フランジ部と、この蓋体フランジ部から下向きに連続する第２の蓋体壁と、この第２の蓋体壁から延長部を介して上向きに設けられる蓋体側逆テーパ面とを有し、この蓋体側逆テーパ面の深さを前記容器本体側逆テーパ面の深さに対応させるという手段を用いる。
【０００９】
本発明において対応させるとは、深さを一致させることと、蓋体逆テーパ面の深さは容器本体の逆テーパ面の深さよりも幾分浅いが、蓋体逆テーパ面が深く係合することによって確実な閉蓋を達成する範囲を含むものである。本発明では、容器本体と蓋体の何れにも逆テーパ面が形成されるので、蓋体に設けられた蓋体側逆テーパ面は容器側逆テーパ面に係合することになり、確実な係合を実現する。
【００１０】
他方、容器本体の容器側逆テーパ面は、垂直に対して３０〜９０度の範囲内の傾きとすることで、より確実な係合を実現することができる。
【００１１】
なお、寸法については、容器側と蓋体側の逆テーパ面の深さは０．５〜４．０ｍｍに設定すれば、容器本体と蓋体の係合が確実であると同時に、開蓋時にも強い力を用いることなく開蓋をすることができる。さらに、蓋体側逆テーパ面の深さが十分である場合には、容器側逆テーパ面の深さより蓋体側逆テーパ面の深さを相対的に浅くすることもある。
【００１２】
蓋体における第２の蓋体壁は、蓋体側逆テーパ面との間に位置する延長部から天板に向けて立ち上がるように形成されていることが好ましい。この手段によれば、天板に上からの荷重がかかった場合に蓋体における圧縮強度を高めることができる。
【００１３】
蓋体における延長部は、容器本体の蓋体嵌合用フランジ部と少なくとも一部が重なり合うことが好ましい。この手段によれば、重なり合う部分によって収容物である食品等の汁を逆テーパ面の手前で堰き止めることができる。
【００１４】
さらに、蓋体は、第２の蓋体壁と延長部とが接続する下面側に角部（Ｘ１）を有し、容器本体は、蓋体嵌合用フランジ部と壁面とが接続する上面側に角部（Ｘ２）を有し、両角部（Ｘ１）・（Ｘ２）は、何れか一方が他方よりも出幅（Ｌ１）を有して容器内方に迫り出しており、前記出幅（Ｌ１）は、前記蓋体の蓋体フランジ部の上面幅（Ｌ２）と下面幅（Ｌ３）の何れよりも小さく設定するという手段を用いる。この手段によれば、蓋体側逆テーパ面の領域に、収容物やその汁が付着することを防止することができる。なお、本発明において「幅」（後述のＬ４を含む）とは各部の水平方向の長さをいう。
【００１５】
また、蓋体における下面側角部（Ｘ１）は、容器本体における上面側角部（Ｘ２）よりも容器内方に迫り出していることが好ましい。この手段によれば、蓋体における延長部の一部が庇となって、より確実に、蓋体側逆テーパ面の領域に、収容物やその汁が付着することを防止することができる。
【００１６】
また、蓋体の延長部の幅（Ｌ４）は、前記蓋体の蓋体フランジ部の上面幅（Ｌ２）と下面幅（Ｌ３）の何れよりも大きく設定することが好ましい。この手段によれば、十分な幅（Ｌ４）の延長部によって、蓋体における第２の壁体壁から蓋体側逆テーパ面までの距離が大きくなり、蓋体側逆テーパ面の領域に収容物やその汁が侵入することを防止することができる。
【００１７】
さらにまた、蓋体の延長部は、蓋体側逆テーパ面から第２の蓋体壁に向かって下り勾配であることが好ましい。この手段によれば、蓋体の延長部の領域に収容物やその汁が侵入しづらくなり、仮に、少量の汁等が侵入したとしても、延長部の下り勾配に沿って容器内方に戻される。
【発明の効果】
【００１８】
本発明によれば、容器本体と蓋体の嵌合を強くすることによって容易に蓋体が外れることを防止することができる。
【００１９】
また、外嵌合構造よりも密封性が高いとされる内嵌合構造の包装用容器にあって、より確実に、収容物やその汁が漏れ出すことを防止すると共に、これらが逆テーパ面の領域に付着したり侵入したりすることも防いで、蓋体を通じた容器本体内部の視認性が妨げられることを防止することもできる。
【図面の簡単な説明】
【００２０】
【図１】本発明の第一の実施形態に係る包装用内嵌合容器の分解した状態を示す平面図
【図２】同、閉蓋（嵌合）した状態を示す平面図
【図３】同、図１のＡ−Ａ’拡大断面図
【図４】本発明の第二の実施形態に係る包装用内嵌合容器の要部拡大断面図
【図５】本発明の第三の実施形態に係る包装用内嵌合容器の要部拡大断面図
【図６】図１のＢ領域の拡大図
【図７】第一実施形態の変形例に係る包装用内嵌合容器の分解した状態を示す平面図
【図８】本発明の他の適用例を示す包装用内嵌合容器の分解斜視図
【図９】本発明のさらに他の適用例を示す包装用内嵌合容器の分解した状態を示す平面図
【発明を実施するための形態】
【００２１】
以下、本発明の好ましい実施の形態を添付した図面に従って説明する。図１〜３は、本発明の第一の実施形態として、容器本体１と蓋体２からなるシート成形の包装用内嵌合容器について、平面視円形の丼型の包装用内嵌合容器を示している。図１は容器本体１と蓋体２を分離した状態を示し、図２は容器本体１に蓋体２を嵌合した状態を示し、さらに図３は図２中のＡ−Ａ’線拡大断面図を示している。
【００２２】
容器本体１の基本的な構成は、底面１ａと、この底面１ａの周囲から立ち上がる壁面１ｂと、この壁面１ｂに対して外側に向けた蓋体嵌合用フランジ部１ｃとを有する。また、蓋体２の基本的構成は、天板２ａと、この天板２ａの周縁から下向きに連続する第１の蓋体壁２ｂと、この蓋体壁２ｂの下縁部から外側に向けて拡開する蓋体フランジ部２ｃとを有している。さらに、蓋体２には、蓋体フランジ部２ｃから下向きに連続する第２の蓋体壁２ｄを設けている。なお、容器本体１の最終外縁部１ｄは蓋体２の最終外縁部２ｅよりも一回り大きく設定している一方、蓋体２の最終外縁部２ｅの１箇所には摘み部３を設けている。
【００２３】
そして、容器本体１の蓋体嵌合用フランジ部１ｃと最終外縁部１ｄとの間と、蓋体２の第２の蓋体壁２ｄと最終外縁部２ｅとの間の双方に、互いに嵌り合う凹条の嵌合部１ｅ・２ｆをそれぞれ全周にわたって設け、嵌合構造として内嵌合構造を採用した包装用内嵌合容器としているのであるが、こうした嵌合部１ｅ・２ｆのうち、容器本体１については図１中の鎖線円形で囲ったＢ領域の一箇所に本発明の特徴的構成である強い嵌合領域を設け、蓋体２についてもＢ部分に対応する一箇所に強い嵌合領域を設けている。即ち、本実施形態では、容器本体１と蓋体２とが全周にわたって内嵌合する包装用内嵌合容器において、その一部（一箇所）を強い内嵌合領域としているのである。
【００２４】
この強い内嵌合領域の具体的構造は、図３に示したように、容器本体１については、蓋体嵌合用フランジ部１ｃから上向きに延長して設けられる容器側逆テーパ面１ｆを有し、蓋体２については、第２の蓋体壁２ｄから容器本体１の蓋体嵌合用フランジ部１ｃに対応する形状の延長部２ｇを介して上向きに設けられる蓋体側逆テーパ面２ｈを有しており、この蓋体側逆テーパ面２ｈの深さを容器本体側逆テーパ面１ｆの深さに対応させている。なお、容器側逆テーパ面１ｆと蓋体側逆テーパ面２ｈは容器内方に傾斜するものであり、適当な形状の折り返し部１ｇ・２ｉを介して最終外縁部１ｄ・２ｅと接続している。
【００２５】
ここで、容器側逆テーパ面１ｆと蓋体側逆テーパ面２ｈは、その深さＤを０．５〜４．０ｍｍに設定し、それぞれの逆テーパ面１ｆ・２ｈは垂直に対して３０〜９０度に設定する。なお、ここで９０度はほぼ水平方向への折り返しに相当するが、蓋体嵌合用フランジ部１ｃや延長部２ｇと完全に隙間なく重畳するのではなく、隙間が存在する程度の状態とすることが好ましい。したがって、正確には９０度未満である。このように、アンダーカットを深くするためにはシート成形に用いる金型にスライドコアを用いる。深さＤを０．５ｍｍよりも浅くすれば従来の課題と同様に蓋体が外れやすく、一方４．０ｍｍよりも深くなりすぎると開蓋時に余分な力を加える必要があるため、本実施形態では深さＤをこのように設定している。深さＤについては、容器側逆テーパ面１ｆと蓋体側逆テーパ面２ｈを完全に一致させてもよいが、蓋体側逆テーパ面２ｈの深さを十分に深くすることによって、容器側逆テーパ面１ｆよりも延長長さにおいて相対的に短く、すなわち幾分浅くてもよい。また、テーパ角度については、３０度よりも小さい場合には深さＤを深くするためには容器側逆テーパ面１ｆが高くなりすぎて、容器本体１のスタック性が悪くなり、搬送時の搬送箱への入数を多くすることができない。よって、角度は３０度を超える角度に設定している。
【００２６】
他方、本実施形態では、蓋体２の壁面構成として、第１の蓋体壁２ｂの他、蓋体フランジ部２ｃと蓋体側逆テーパ面２ｈとの間にも第２の蓋体壁２ｄを設けており、この第２の蓋体壁２ｄは、蓋体フランジ部２ｃから上方に立ち上がるのではく、第１の壁体壁２ｂと同様に、延長部２ｇから天板２ａに向けて立ち上がるように形成している。これによって、蓋体２の圧縮強度が高まると共に、延長部２ｇと蓋体側逆テーパ面２ｈとで凹溝を形成して、この部分の強度も高めることができる。したがって、蓋体側逆テーパ面２ｈを容器本体１の容器側逆テーパ面１ｆに強く嵌め込むことができる。
【００２７】
また、この実施形態では、容器本体１に蓋体２を取り付けたとき、蓋体２の延長部２ｇが容器本体１の蓋体嵌合用フランジ部１ｃに重なるように構成しているため、容器本体１に収容した食品等の汁その他液体は、この重なり合う部分で堰き止められ、容器外への汁漏れを防止することができる。なお、この重なりは、延長部２ｇと蓋体嵌合用フランジ部１ｃの形状を正確に一致させることで最も大きくすることができるが、少なくとも一部において重なるものであればよい。
【００２８】
さらに、本実施形態では、容器本体１に蓋体２を取り付けたとき、蓋体２の第２の蓋体壁２ｄが容器本体１の壁面１ｂよりも外方に位置するように構成している。即ち、  蓋体２は第２の蓋体壁２ｄと延長部２ｇとが接続する下面側に角部（Ｘ１）を有し、容器本体１は、蓋体嵌合用フランジ部１ｃと壁面１ｂとが接続する上面側に角部（Ｘ２）を有して、容器本体１の上面側角部（Ｘ２）が蓋体２の下面側角部（Ｘ１）よりも出幅（Ｌ１）だけ容器内方に迫り出す構成としている。なお、蓋体２の下面側角部（Ｘ１）はアール形状であるため、説明の便宜上、第２の蓋体壁２ｄと延長部２ｇのそれぞれの下面が交差する仮想点で示しており、さらに、図中内の鎖線円形で示した拡大図では、蓋体２を完全に嵌合した状態ではなく、容器本体１から若干浮き上がらせた状態を示している。そして、この出幅（Ｌ１）は、蓋体２の蓋体フランジ部２ｃの上面幅（Ｌ２）と下面幅（Ｌ３）の何れよりも小さく設定している。したがって、この構成によって、蓋体側逆テーパ面２ｈの領域に、収容物やその汁が付着することを防止することができる。
【００２９】
このように、本実施形態の包装用内嵌合容器では、内嵌合領域の一部において容器本体１と蓋体２の嵌合を強くしたので、容易に蓋体２が外れることを防止することができる。また、外嵌合構造よりも密封性が高いとされる内嵌合構造の包装用内嵌合容器にあって、より確実に、収容物やその汁が漏れ出すことを防止すると共に、これらが逆テーパ面の領域に付着したり侵入したりすることも防いで、蓋体２を通じた容器本体１内部の視認性が妨げられることを防止することもできる。さらにまた、蓋体２の延長部２ｇは、蓋体側逆テーパ面２ｈから第２の蓋体壁２ｄに向かって下り勾配としているので、延長部２ｇの領域に収容物やその汁が侵入しづらくなり、仮に、少量の汁等が侵入したとしても、延長部２ｇの下り勾配に沿って容器内方に戻される。
【００３０】
図４は、本発明の第二の実施形態を示すもので、蓋体２において、その蓋体フランジ部２ｃの水平長を小さく設定することで、上記実施形態とは逆に、蓋体２の下面側角部（Ｘ１）が容器本体１の上面側角部（Ｘ２）よりも容器内方に迫り出すように構成している。そして、この場合も、出幅（Ｌ１）は蓋体フランジ部２ｃの上面幅（Ｌ２）と下面幅（Ｌ３）の何れよりも小さく設定している。したがって、この第二実施形態では、蓋体２における延長部２ｇの一部が庇となって、より確実に、蓋体側逆テーパ面２ｈの領域に、収容物やその汁が付着することを防止することができる。
【００３１】
さらに、蓋体２の延長部２ｇの幅（Ｌ４）を、蓋体フランジ部２ｃの上面幅（Ｌ２）と下面幅（Ｌ３）の何れよりも大きく設定しているので、十分な幅（Ｌ４）の延長部によって、蓋体２における第２の壁体壁２ｄから蓋体側逆テーパ面２ｈまでの距離が大きくなり、さらに確実に、蓋体側逆テーパ面２ｈの領域に収容物やその汁が侵入することを防止することができる。
【００３２】
一方、蓋体２の下面側角部（Ｘ１）と容器本体１の上面側角部（Ｘ２）は、図５に示す第三の実施形態のように、完全に一致させることも可能であり、この場合も、逆テーパ面１ｆ・２ｈの強い嵌合を維持しつつ、当該嵌合領域に収容物やその汁が侵入することを防止することができる。
【００３３】
なお、上記実施形態では、容器本体１において平面視円形に表れる従来公知の内嵌合部１ｅのうちの一部（１箇所）に、図１のＢ領域を拡大した図６に示すように、蓋体２の蓋体逆テーパ面２ｈに対応する強い嵌合部を設けているので、蓋体２を取り付ける際は、通常に蓋体２を容器本体１に内嵌合した後、蓋体２を回転することによって、両者の逆テーパ面の領域を一致させることができる。
【００３４】
これに対して、蓋体２をより強固に閉蓋維持するには、図７に示すように、図１のＢ領域の構成を二以上（図面上、６つ）設けることも可能であり、内嵌合部の全てをＢ領域の逆テーパ面による強い嵌合構造とすることも排除しない。
【００３５】
ただし、一部でも強い嵌合領域が存在することで、例えば高齢者などの手に力が弱い人にとっては、その強い嵌合を解除して蓋体２を開蓋する作業がスムーズにいかなくなることが想定される。
【００３６】
そこで、本発明では、強い嵌合領域（図１のＢ領域）に対応して、蓋体２に摘み部３を設けている（図１、２、７参照）。これによって、摘み部２を持って開蓋作業を行えば、ちょうど強い嵌合領域の嵌合が解除されるので、高齢者等であっても蓋体２の開蓋作業をスムーズに行うことができる。言い換えれば、摘み部３は強い嵌合領域の位置を示すため、使用者は特に強い嵌合領域の位置を気にすることなく開蓋作業を行うことができる。また、摘み部３にシールやセロハンテープを貼り付ければ、不正開封を防止することができる。
【００３７】
なお、本発明における包装用内嵌合容器の外形は、円形、楕円形、長円形、矩形、六角形など、広く適用され、他の適用例として具体的には、カップ状の容器本体を備えたスープ用の包装用内嵌合容器や（図８）や、容器本体、蓋体とも比較的偏平角形としたランチ用の包装用内嵌合容器（図９）などを挙げることができる。このように、本発明は、上述した逆テーパ面による強い内嵌合構造を有することで、汁漏れが問題となる汁物や汁気が多い収容物に好適に使用できものであるが、特段、収容物を限定するものではなく、従来からの収容物に広く適用することができる。また、嵌合強度を高めた領域に対応して、少なくとも蓋体に摘み部を設けることで開蓋作業をスムーズに行うことができる。
【符号の説明】
【００３８】
１  容器本体
１ａ  底面
１ｂ  壁面
１ｃ  蓋体嵌合用フランジ部
１ｄ  最終外縁部
１ｅ  嵌合部
１ｆ  容器側逆テーパ面
１ｇ  折り返し部
２  蓋体
２ａ  天板
２ｂ  第１の蓋体壁
２ｃ  蓋体フランジ部
２ｄ  第２の蓋体壁
２ｅ  最終外縁部
２ｆ  嵌合部
２ｇ  延長部
２ｈ  蓋体側逆テーパ面
２ｉ  折り返し部
３  摘み部
【図１】
2019127301.tif 000003
【図２】
2019127301.tif 000004
【図３】
2019127301.tif 000005
【図４】
2019127301.tif 000006
【図５】
2019127301.tif 000007
【図６】
2019127301.tif 000008
【図７】
2019127301.tif 000009
【図８】
2019127301.tif 000010
【図９】
2019127301.tif 000011